【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
記録紙を収納する収納手段と、
前記収納手段に収納された記録紙を搬送する搬送手段と、
前記搬送手段を駆動する搬送駆動手段と、
露光手段と、
感光体と、
前記感光体に形成されたトナー像を、前記搬送手段によって搬送される記録紙に転写する転写手段と、
前記転写されたトナー像を前記記録紙に定着させる定着手段と、
トナー収容容器と、
前記トナー収容容器のトナーを補給するためのトナー補給手段と、
前記感光体を駆動する駆動手段と、
前記駆動手段と信号線が接続されている、前記駆動手段を制御する制御基板と、
商用電源から画像形成装置の内部で用いる電力を生成する電源基板と、を有し、
前記感光体は前記収納手段より鉛直方向において上側、前記トナー収容容器より鉛直方向において下側に配置されており、
前記制御基板および前記電源基板は、前記画像形成装置の背面に、鉛直方向において異なる位置に重ならずに配置されており、
前記制御基板は、鉛直方向において前記電源基板の上側に配置されているとともに、前記制御基板から前記電源基板へ接続される配線のコネクタは、前記制御基板の下辺に配置されており、
前記定着手段は、前記画像形成装置の背面から見て前記制御基板の鉛直方向において左上側に配置されているとともに、前記制御基板から前記定着手段へ接続される配線のコネクタは、前記制御基板の左上の部分に配置されており、
前記搬送駆動手段は、前記画像形成装置の背面から見て前記制御基板の鉛直方向において左下側に配置されているとともに、前記制御基板から前記搬送駆動手段へ接続される配線のコネクタは、前記画像形成装置の背面から見て前記制御基板の左下の部分に配置されており、
前記制御基板から前記トナー補給手段へ接続される配線のコネクタは、前記画像形成装置の背面から見て前記制御基板の上辺に配置されており、
前記制御基板から前記露光手段へ接続される配線のコネクタは、前記画像形成装置の背面から見て前記制御基板の右辺に配置されていることを特徴とする、
画像形成装置。
【請求項２】
記録紙を収納する収納手段と、
前記収納手段に収納された記録紙を搬送する搬送手段と、
前記搬送手段を駆動する搬送駆動手段と、
露光手段と、
感光体と、
前記感光体に形成されたトナー像を、前記搬送手段によって搬送される記録紙に転写する転写手段と、
前記転写されたトナー像を前記記録紙に定着させる定着手段と、
トナー収容容器と、
前記トナー収容容器のトナーを補給するためのトナー補給手段と、
前記感光体を駆動する駆動手段と、
前記駆動手段と信号線が接続されている、前記駆動手段を制御する制御基板と、
商用電源から画像形成装置の内部で用いる電力を生成する電源基板と、を有し、
前記感光体は前記収納手段より鉛直方向において上側、前記トナー収容容器より鉛直方向において下側に配置されており、
前記制御基板および前記電源基板は、前記画像形成装置の背面に、鉛直方向において異なる位置に重ならずに配置されており、
前記制御基板は、鉛直方向において前記電源基板の上側に配置されているとともに、前記制御基板から前記電源基板へ接続される配線のコネクタは、前記制御基板の下辺に配置されており、
前記定着手段は、前記画像形成装置の背面から見て前記制御基板の鉛直方向において右上側に配置されているとともに、前記制御基板から前記定着手段へ接続される配線のコネクタは、前記制御基板の右上の部分に配置されており、
前記搬送駆動手段は、前記画像形成装置の背面から見て前記制御基板の鉛直方向において右下側に配置されているとともに、前記制御基板から前記搬送駆動手段へ接続される配線のコネクタは、前記画像形成装置の背面から見て前記制御基板の右下の部分に配置されており、
前記制御基板から前記トナー補給手段へ接続される配線のコネクタは、前記画像形成装置の背面から見て前記制御基板の上辺に配置されており、
前記制御基板から前記露光手段へ接続される配線のコネクタは、前記画像形成装置の背面から見て前記制御基板の左辺に配置されていることを特徴とする、
画像形成装置。
【請求項３】
一次転写高圧を制御する転写高圧基板を持ち、
前記感光体を駆動する駆動手段は、前記画像形成装置の背面から見て、回転状態を確認できるように、制御基板から一部目視できるように配置され、
前記転写高圧基板は、前記制御基板、前記電源基板と重ならないように配置されることを特徴とする。
請求項１または２記載の画像形成装置。
【請求項４】
画像形成処理の制御を行う画像制御基板を更に備えており、
前記画像制御基板は、鉛直方向において前記制御基板の上側に配置され、前記制御基板から前記画像制御基板へ接続される配線のコネクタは、前記制御基板の上辺に配置されることを特徴とする、
請求項１〜３のいずれか１項記載の画像形成装置。
【請求項５】
前記感光体に供給する帯電高圧を生成する作像高圧基板と、を更に備えており、
前記作像高圧基板は、前記電源基板と前記画像形成装置の背面との間に配置され、前記制御基板から前記作像高圧基板へ接続される配線のコネクタは、前記制御基板の下辺に配置されることを特徴とする、
請求項１〜４のいずれか１項記載の画像形成装置。
【請求項６】
前記感光体を駆動する駆動手段は、前記感光体を駆動するギアとともにメイン駆動ユニットとして一体化して、まとめて付け外しできるように構成されており、
前記制御基板は、前記メイン駆動ユニットに重なるように配置されており、
前記電源基板、前記転写高圧基板、前記画像制御基板、及び前記作像高圧基板は、前記メイン駆動ユニットに重ならないように、前記メイン駆動ユニットに対してクリアランスを設けて配置されることを特徴とする、
請求項５記載の画像形成装置。
【請求項７】
前記制御基板及び前記画像制御基板は多層構造の基板で構成され、前記電源基板、前記転写高圧基板、及び前記作像高圧基板は片面の基板で構成されることを特徴とする、
請求項５記載の画像形成装置。
【請求項８】
記録紙を収納する収納手段と、
前記収納手段に収納された前記記録紙を給紙する給紙手段と、
給紙された前記記録紙を搬送する搬送手段と、
前記給紙手段を駆動する第１駆動手段と、
前記搬送手段を駆動する第２駆動手段と、
感光体と、
前記感光体を露光する露光手段と、
前記感光体に形成されたトナー像を、前記搬送手段によって搬送された前記記録紙に転写する転写手段と、
前記転写されたトナー像を前記記録紙に定着させる定着手段と、
前記第１駆動手段及び前記第２駆動手段に信号線により接続されており、前記第１駆動手段及び前記第２駆動手段を制御する制御基板と、
商用電源から画像形成装置の内部で用いる電力を供給する電源基板と、を備えており、
前記感光体は、前記収納手段の鉛直方向において上方に配置されており、
前記制御基板及び前記電源基板は、前記画像形成装置の背面に、前記画像形成装置の背面から見たときに、鉛直方向において異なる位置に重ならないように配置されており、
前記制御基板は、鉛直方向において前記電源基板の上側に配置されており、
前記定着手段は、鉛直方向において前記第１駆動手段及び前記第２駆動手段の上方に配置されており、
前記第１駆動手段及び前記第２駆動手段は、前記画像形成装置の背面から見たときに、前記制御基板及び前記電源基板に重ならないように配置されており、
前記制御基板は、
前記制御基板の下側の部分に配置されて、前記制御基板と前記電源基板とを接続する配線が接続される第１コネクタと、
前記画像形成装置の背面から見たときに前記制御基板の水平方向の第１辺に配置されて、前記制御基板と前記第２駆動手段とを接続する配線が接続される第２コネクタと、を備えることを特徴とする、
画像形成装置。
【請求項９】
前記定着手段を駆動する第３駆動手段と、
前記感光体を駆動する第４駆動手段と、を備えることを特徴とする、
請求項８記載の画像形成装置。
【手続補正２】
【補正対象書類名】明細書
【補正対象項目名】０００７
【補正方法】変更
【補正の内容】
【０００７】
本発明は、制御基板から負荷への配線を短くすることを目的とする。
【手続補正３】
【補正対象書類名】明細書
【補正対象項目名】０００８
【補正方法】変更
【補正の内容】
【０００８】
上記課題を解決する本発明の画像形成装置は、記録紙を収納する収納手段と、前記収納手段に収納された記録紙を搬送する搬送手段と、前記搬送手段を駆動する搬送駆動手段と、露光手段と、感光体と、前記感光体に形成されたトナー像を、前記搬送手段によって搬送される記録紙に転写する転写手段と、前記転写されたトナー像を前記記録紙に定着させる定着手段と、トナー収容容器と、前記トナー収容容器のトナーを補給するためのトナー補給手段と、前記感光体を駆動する駆動手段と、前記駆動手段と信号線が接続されている、前記駆動手段を制御する制御基板と、商用電源から画像形成装置の内部で用いる電力を生成する電源基板と、を有し、前記感光体は前記収納手段より鉛直方向において上側、前記トナー収容容器より鉛直方向において下側に配置されており、前記制御基板および前記電源基板は、前記画像形成装置の背面に、鉛直方向において異なる位置に重ならずに配置されており、前記制御基板は、鉛直方向において前記電源基板の上側に配置されているとともに、前記制御基板から前記電源基板へ接続される配線のコネクタは、前記制御基板の下辺に配置されており、前記定着手段は、前記画像形成装置の背面から見て前記制御基板の鉛直方向において左上側に配置されているとともに、前記制御基板から前記定着手段へ接続される配線のコネクタは、前記制御基板の左上の部分に配置されており、前記搬送駆動手段は、前記画像形成装置の背面から見て前記制御基板の鉛直方向において左下側に配置されているとともに、前記制御基板から前記搬送駆動手段へ接続される配線のコネクタは、前記画像形成装置の背面から見て前記制御基板の左下の部分に配置されており、前記制御基板から前記トナー補給手段へ接続される配線のコネクタは、前記画像形成装置の背面から見て前記制御基板の上辺に配置されており、前記制御基板から前記露光手段へ接続される配線のコネクタは、前記画像形成装置の背面から見て前記制御基板の右辺に配置されていることを特徴とする。
他の本発明の画像形成装置は、記録紙を収納する収納手段と、前記収納手段に収納された記録紙を搬送する搬送手段と、前記搬送手段を駆動する搬送駆動手段と、露光手段と、感光体と、前記感光体に形成されたトナー像を、前記搬送手段によって搬送される記録紙に転写する転写手段と、前記転写されたトナー像を前記記録紙に定着させる定着手段と、トナー収容容器と、前記トナー収容容器のトナーを補給するためのトナー補給手段と、前記感光体を駆動する駆動手段と、前記駆動手段と信号線が接続されている、前記駆動手段を制御する制御基板と、商用電源から画像形成装置の内部で用いる電力を生成する電源基板と、を有し、前記感光体は前記収納手段より鉛直方向において上側、前記トナー収容容器より鉛直方向において下側に配置されており、前記制御基板および前記電源基板は、前記画像形成装置の背面に、鉛直方向において異なる位置に重ならずに配置されており、前記制御基板は、鉛直方向において前記電源基板の上側に配置されているとともに、前記制御基板から前記電源基板へ接続される配線のコネクタは、前記制御基板の下辺に配置されており、前記定着手段は、前記画像形成装置の背面から見て前記制御基板の鉛直方向において右上側に配置されているとともに、前記制御基板から前記定着手段へ接続される配線のコネクタは、前記制御基板の右上の部分に配置されており、前記搬送駆動手段は、前記画像形成装置の背面から見て前記制御基板の鉛直方向において右下側に配置されているとともに、前記制御基板から前記搬送駆動手段へ接続される配線のコネクタは、前記画像形成装置の背面から見て前記制御基板の右下の部分に配置されており、前記制御基板から前記トナー補給手段へ接続される配線のコネクタは、前記画像形成装置の背面から見て前記制御基板の上辺に配置されており、前記制御基板から前記露光手段へ接続される配線のコネクタは、前記画像形成装置の背面から見て前記制御基板の左辺に配置されていることを特徴とする。
他の本発明の画像形成装置は、記録紙を収納する収納手段と、前記収納手段に収納された前記記録紙を給紙する給紙手段と、給紙された前記記録紙を搬送する搬送手段と、前記給紙手段を駆動する第１駆動手段と、前記搬送手段を駆動する第２駆動手段と、感光体と、前記感光体を露光する露光手段と、前記感光体に形成されたトナー像を、前記搬送手段によって搬送された前記記録紙に転写する転写手段と、前記転写されたトナー像を前記記録紙に定着させる定着手段と、前記第１駆動手段及び前記第２駆動手段に信号線により接続されており、前記第１駆動手段及び前記第２駆動手段を制御する制御基板と、商用電源から画像形成装置の内部で用いる電力を供給する電源基板と、を備えており、前記感光体は、前記収納手段の鉛直方向において上方に配置されており、前記制御基板及び前記電源基板は、前記画像形成装置の背面に、前記画像形成装置の背面から見たときに、鉛直方向において異なる位置に重ならないように配置されており、前記制御基板は、鉛直方向において前記電源基板の上側に配置されており、前記定着手段は、鉛直方向において前記第１駆動手段及び前記第２駆動手段の上方に配置されており、前記第１駆動手段及び前記第２駆動手段は、前記画像形成装置の背面から見たときに、前記制御基板及び前記電源基板に重ならないように配置されており、前記制御基板は、前記制御基板の下側の部分に配置されて、前記制御基板と前記電源基板とを接続する配線が接続される第１コネクタと、前記画像形成装置の背面から見たときに前記制御基板の水平方向の第１辺に配置されて、前記制御基板と前記第２駆動手段とを接続する配線が接続される第２コネクタと、を備えることを特徴とする。